(57)【特許請求の範囲】
【請求項１】
搬送される記録媒体に未定着顕画剤像を形成する画像形成手段と、その記録媒体をニップ部で挟持搬送して顕画剤像を記録媒体に定着する定着手段と、制御手段と、前記記録媒体のジャムを検知する検知手段と、画像形成装置本体に対して開閉可能で、開くことで前記定着手段の部分を開放した状態にすることができ、前記記録媒体をガイド可能な開閉部材と、を有し、前記開閉部材が閉じられている状態において、前記定着手段の前記ニップ部の加圧力が維持される画像形成装置において、
前記加圧力を解除する圧解除手段と、
前記開閉部材と前記圧解除手段とを連動させる連動手段と、
前記連動手段を連動可能状態と非連動状態とに切換える状態切換え手段と、
を有し、前記制御手段は、前記検知手段で前記記録媒体のジャムを検知していないときは、前記連動手段を非連動状態に保持するように前記状態切換え手段を制御することで、前記開閉部材が開いた場合に前記圧解除手段が連動せずに前記加圧力が維持され、前記検知手段で前記記録媒体のジャムを検知したときは、前記連動手段を連動可能状態に転換するように前記状態切換え手段を制御することで、前記開閉部材が開いた場合に前記圧解除手段が連動し前記加圧力が解除されることを特徴とする画像形成装置。
【請求項２】
前記開閉部材は、前記定着手段を通過した記録媒体を記録面表向きで積載するフェイスアップトレイであることを特徴とする請求項１に記載の画像形成装置。
【発明の詳細な説明】
【技術分野】
【０００１】
本発明は、記録媒体に未定着顕画剤像を形成し、その記録媒体を定着手段のニップ部で挟持搬送して顕画剤像を記録媒体に定着する画像形成装置に関する。
【背景技術】
【０００２】
従来、複写機・プリンタ・ファクシミリ等の画像形成装置においては、電子写真・静電記録・磁気記録等の適宜の作像プロセス手段により、記録媒体に転写方式または直接方式で未定着の顕画剤像（以下、トナー像と記す）形成担持させる。上記において、記録媒体（以下、記録材と記す）は、転写材・感光紙・静電記録紙・印刷紙等である。そして、記録材上の未定着トナー像を定着手段で固着像として定着し、記録材を画像形成物として出力する。
【０００３】
定着手段には、記録材を定着ニップ部で挟持搬送してトナー像を記録材に加熱加圧して定着する方式のものが広く用いられている。具体的には、熱ローラ方式やフィルム加熱方式等の接触加熱方式の定着装置である。
【０００４】
このような接触加熱方式の定着装置を搭載している画像形成装置において、この定着装置部分で記録材のジャムが発生した場合には、画像形成装置本体に対して開閉可能で、定着装置部分を開放することができる開閉部材を開き操作する。そして、定着装置の定着圧解除手段を操作して定着ニップ部にかかっているニップ圧を解除状態にして、定着ニップ部に挟持されてジャム状態にある記録材を取り除く。
【０００５】
例えば特許文献１に記載の画像形成装置は、給紙開始から転写時までのジャムは、カートリッジドアを開き、カートリッジを取り出して、ジャム記録材を取り除く。また、転写から定着、排紙までのジャムは、フェイスアップトレイ（排紙カバー）を開いて定着装置部分を開放する。そして、定着圧解除手段を操作して定着ニップ部にかかっているニップ圧を解除状態にして、定着ニップ部に挟持されてジャム状態にある記録材を取り除く装置構成である。
【特許文献１】特開平０８−０４４１２５号公報
【発明の開示】
【発明が解決しようとする課題】
【０００６】
上記従来例では、定着から排紙までのジャム状態を解除するためには、（１）フェイスアップトレイを開く操作と、（２）定着圧解除手段により定着装置の定着ニップ部にかかっている圧を解除する操作と、の２つの操作を別々にする。そのためにジャム処理に手間がかかっている。
【０００７】
そこで、本発明の目的は、上述の事情に鑑みて、ジャム解除時に定着圧解除を容易に行うことができる、ユーザビリティの向上を図った画像形成装置を提供することにある。
【課題を解決するための手段】
【０００８】
上記の目的を達成するための本発明に係る画像形成装置の代表的な構成は、搬送される記録媒体に未定着顕画剤像を形成する画像形成手段と、その記録媒体をニップ部で挟持搬送して顕画剤像を記録媒体に定着する定着手段と、制御手段と、前記記録媒体のジャムを検知する検知手段と、画像形成装置本体に対して開閉可能で、開くことで前記定着手段の部分を開放した状態にすることができ、前記記録媒体をガイド可能な開閉部材と、を有し、前記開閉部材が閉じられている状態において、前記定着手段の前記ニップ部の加圧力が維持される画像形成装置において、前記加圧力を解除する圧解除手段と、前記開閉部材と前記圧解除手段とを連動させる連動手段と、前記連動手段を連動可能状態と非連動状態とに切換える状態切換え手段と、を有し、前記制御手段は、前記検知手段で前記記録媒体のジャムを検知していないときは、前記連動手段を非連動状態に保持するように前記状態切換え手段を制御することで、前記開閉部材が開いた場合に前記圧解除手段が連動せずに前記加圧力が維持され、前記検知手段で前記記録媒体のジャムを検知したときは、前記連動手段を連動可能状態に転換するように前記状態切換え手段を制御することで、前記開閉部材が開いた場合に前記圧解除手段が連動し前記加圧力が解除されることを特徴とする。
【発明の効果】
【０００９】
すなわち、ジャムが発生したときは、定着手段を開放する開閉部材を開く操作に連動して定着手段のニップ部の加圧力が自動的に解除された状態になるので、ニップ部に挟持されてジャム状態にある記録媒体を少ない操作手順で取り除くことができる。
【発明を実施するための最良の形態】
【００１０】
【実施例１】
【００１１】
（１）画像形成装置例の全体的な概略構成説明
図１は本実施例の画像形成装置Ａの概略構成図である。この画像形成装置は転写式電子写真プロセスを用いたレーザービームプリンタである。プリンタＡには、画像読取装置やコンピュータ等のホスト装置（外部装置、画像信号発生装置）Ｂを接続してある。そして、プリンタＡはホスト装置Ｂからプリンタ制御手段としてのエンジンコントローラ（以下、制御部と記す）Ｃに入力する画像情報をハードコピーとしてプリントアウトする。制御部Ｃは、ホスト装置Ｂと信号の授受処理、作像機器との信号の授受処理をして、作像シーケンス制御を司る。
【００１２】
１は像担持体としてのドラム型電子写真感光体（以下、ドラムと記す）であり、感光層は有機光導電体やアモルファスシリコンなどである。ドラム１は矢印の時計方向に所定の周速度（プロセススピード）をもって回転駆動され、その回転過程で帯電ローラ２によりその周面が所定の極性・電位に一様に帯電される。その帯電面に対してレーザー光学箱３により画像情報のレーザー走査露光Ｌがなされる。これによりドラム１に走査露光パターンに対応した静電潜像が形成される。レーザー光学箱３は、ホスト装置Ｂから制御部Ｃへ入力された画像情報の時系列電気デジタル画素信号に対応して変調（オン／オフ変換）されたレーザー光を出力し、レーザー光反射ミラー４を介してドラム１の帯電面を走査露光する。レーザー光が照射されたドラム部分（露光明部）の電位が減衰して画像情報に対応した静電潜像がドラム面に形成される。
【００１３】
静電潜像は現像器５により現像剤像（以下、トナー像と記す）として正規現像あるいは反転現像される。トナー像は、ドラム１と転写ローラ７との当接部である転写ニップ部Ｔにおいて、該転写ニップ部に、給紙カセット８から送り出されて所定の制御タイミングで導入された記録媒体（以下、記録材と記す）Ｐに順次に転写されていく。
【００１４】
給紙カセット８はプリンタ下部に配設してあり、記録材Ｐを積載収容させている。給紙ローラ９は所定の制御タイミングで１回転間欠駆動される。これにより、積載記録材の最上位の記録材に送りが掛かり、１枚分離搬送ローラ対１０により次位以下の記録材の重送が防止されて、最上位の記録材が１枚だけが搬送される。その記録材はシートパス(記録材搬送路)１１・１２を通ってレジストローラ対１３へ搬送され、その時点では回転が停止されているレジストローラ対１３のニップ部に先端部が受け止められる。これにより、記録材は斜行矯正される。その記録材が所定の制御タイミングで回転駆動されたレジストローラ対１３によりシートパス１４を通して転写ニップ部Ｔに搬送される。すなわち、ドラム１に形成されたトナー像の先端が転写ニップ部Ｔに到達するタイミングで、その転写ニップ部Ｔに記録材Ｐのプリント開始位置が一致するようにレジストローラ対１３の回転開始が制御される。そして、記録材Ｐが転写ニップ部Ｔを挟持搬送されていく過程において、転写ローラ７に不図示の電源部からトナーの帯電極性とは逆極性の転写バイアスが印加されて、ドラム面のトナー像が記録材面に順次に静電転写されていく。
【００１５】
転写ニップ部Ｔを出た記録材Ｐはドラム１面から分離されてシートパス１５を通って定着装置１６に導入される。
【００１６】
記録材分離後のドラム１面に残留した転写残トナーは、本例のプリンタでは現像器５により現像同時クリーニングして再用している。専用のクリーニング器を具備させて記録材分離後のドラム１面から転写残トナーを除去する構成にしてもよい。
【００１７】
本例のプリンタにおいては、ドラム１と、帯電ローラ２と、現像器５をカートリッジ枠体によって一体的にカートリッジ化してプリンタ本体に対して着脱可能なプロセスカートリッジ６にしてある。このカートリッジ６のプリンタ本体に対する着脱は、プリンタ本体に対してヒンジ軸部３３を中心に開閉操作のカートリッジドア３２を２点鎖線示のように開いてプリンタ本体内を開放することでなされる。
【００１８】
本例のプリンタにおいて、定着装置１６は熱ローラ定着装置である。すなわち、第１の定着部材としての定着ローラ１７と第２の定着部材としての加圧ローラ１８とを加圧バネを含む加圧機構（不図示）で圧接させて定着ニップ部Ｎを形成させている。定着ローラ１７は矢印の時計方向に回転駆動される。加圧ローラ１８は定着ローラ１７の回転に従動して回転する。定着ローラ１７はハロゲンランプ等の内部ヒータにより加熱され、表面温度が所定の定着温度に維持されるように、ヒータへの電力供給が制御される。そして、定着ニップ部Ｎに未定着トナー像を形成担持させた記録材Ｐを導入して挟持搬送させる。これにより、定着ローラ１７の熱とニップ圧とにより未定着トナー像が記録材面に固着像として熱圧定着される。
【００１９】
定着ニップ部Ｎを出た記録材Ｐは、片面プリントモードが選択されている場合は、第１排紙ローラ対（以下、ＦＵローラと記す）１９、上行シートパス２０、第２排紙ローラ対（以下、ＦＤローラと記す）２１の経路を通る。そして、排紙口２２からプリンタ上面のフェイスダウントレイ（以下、ＦＤトレイと記す）２３上に画像面下向きで排紙される（フェイスダウン排紙）。カートリッジドア３２は閉じ状態において、ＦＤトレイ２３の延長部分となる。
【００２０】
ＦＵローラ１９はＤＣブラシレスモータにより駆動される。ＦＤローラ２１はステッピングモータで駆動される。前記ステッピングモータはＦＤローラ２１を駆動し、ＤＣブラシレスモータは主にＦＤローラ２１以外の記録材搬送手段を駆動する。
【００２１】
両面プリントモードが選択されている場合には、上記のように、片面（第１面）プリント済みの記録材の後端部が、ＦＵローラ１９を抜けたが、ＦＤローラ２１は抜けていない所定の制御タイミングにおいて、ＦＤローラ２１が逆回転駆動に切換えられる。これにより、その記録材はこんどは後端部が先端部になってプリンタ内に引き込み搬送され、ＦＵローラ１９の下側ローラとこれに圧接された補助ローラ２４とのニップ部に挟持されて反転再搬送シートパス２５へ導入される。そしてこのシートパス２５を搬送ローラ対２６・２７で順次に中継ぎ搬送されて、再び、シートパス１２、レジストローラ対１３、シートパス１４の経路を通って、表裏反転状態で、転写ニップ部Ｔに再導入される。これにより、記録材の他面（第２面）に対してドラム１面のトナー像が順次に静電転写されていく。
【００２２】
転写ニップ部Ｔを出た記録材Ｐはドラム１面から分離されてシートパス１５を通って定着装置１６に再導入されて、記録材の他面に対してトナー像が熱圧定着される。定着装置１６を出た記録材Ｐは、ＦＵローラ１９、上行シートパス２０、ＦＤローラ２１の経路を通って搬送され、排紙口２２からＦＤトレイ２３上に両面プリント済みの記録材が排出される。
【００２３】
２８はフェイスアップトレイ（以下、ＦＵトレイと記す）である。このＦＵトレイ２８はプリンタＡの定着装置配設側の側面に開閉操作自由に配設してある。このＦＵトレイ２８は、片面プリントモードにおいて、画像面を上向き（記録面表向き）にして記録材を排出（フェイスアップ排紙）したいときに使用される。不使用時は、図１のように、プリンタ側面に対して閉じ込んで格納状態にされる。このＦＵトレイ２８の格納状態において、ＦＵトレイ２８の内側に配設した記録材ガイドリブ２９がＦＵローラ１９とＦＤローラ２１との間に対応位置して、ＦＵローラ１９からＦＤローラ２１に至る上行シートパス２０を形成する。
【００２４】
使用するときは、該ＦＵトレイ２８を下端側のヒンジ軸部３０を中心に、図２のように、プリンタ側面から外方に倒し開く。開き角度は不図示のストッパにより所定角度に規制される。
【００２５】
このように、ＦＵトレイ２８を開き状態にすることで、定着装置１６を出た片面プリント済みの記録材はＦＵローラ１９に中継ぎ搬送されて直進シートパス３１を通って、開かれているＦＵトレイ２８上に画像面上向きで排出される。
【００２６】
Ｓ１〜Ｓ５はプリンタ内のシートパスの適所に配設した、フォトセンサ等の複数の記録材センサである。センサＳ１（トップセンサ）は、レジストローラ対１３と転写ニップ部Ｔとの間のシートパス１４のレジストローラ対１３寄りに配設してある。センサＳ２は、定着装置１６とＦＵローラ１９の間のシートパスに配設してある。センサＳ３とセンサＳ４は、再搬送シートパス２５に沿って間隔をあけて配設してある。Ｓ５はＦＵローラ１９から開かれているＦＵトレイ２２８へ向かう直進シートパス３０部分に配設してある。
【００２７】
制御部Ｃは、上記の各センサＳ１〜Ｓ５部分に記録材が存在しているか否かを検知する。また各センサの位置を記録材が通過している時間を計測する。その計測時間が規定外ならば、そのセンサが存在するシートパス部分において記録材の詰まり（ジャム）を発生していると判断する。制御部Ｃはジャム発生と判断すると、プリンタの作像動作を停止させる。また、不図示の表示手段に、ジャムが発生した旨、およびジャム発生個所と、そのジャム記録材の除去要領を表示して、ユーザーにジャム処理を促す。
【００２８】
１）給紙カセット８から定着ニップ部手前までのシートパスや反転再搬送シートパス２５でジャムが発生している場合には、カートリッジドア３２を開き、プロセスカートリッジ６を取り出し、ジャムしている記録材を取り除くことができる。そして、そのジャム処理後、プロセスカートリッジ６を再装着して、カートリッジドア３２を閉じる。
【００２９】
２）定着装置１６部分や、定着ニップ部Ｎから排紙部にかけてのシートパス部分でジャムが発生している場合には、ＦＵトレイ２８を開く。ＦＵトレイ２８はプリンタ内を開放する開閉部材を兼用させている。これが開かれることで、プリンタＡの定着装置配設側（定着装置の部分）が大きく開放される。これにより、ＦＵローラ１９からＦＤローラ２１にかけての上行シートパス２０の部分でジャムしている記録材を容易に取り除くことができる。また、次に説明するように、ジャム発生時には、ＦＵトレイ２８を開くと、これに連動して定着装置１６の定着ニップ部Ｎのニップ圧が解除（低減も含む）される構成にしてある。これにより、定着装置１６の定着ニップ部Ｎに挟まれてジャムしている記録材も容易に引き抜いて取り除くことができる。
【００３０】
（２）ＦＵトレイ２８と定着装置１６の圧解除手段との連動機構と制御
図３は本実施例における、ＦＵトレイ２８と、定着装置１６の圧解除手段との連動機構の概略図である。
【００３１】
４１は定着装置１６に配設された、圧解除手段としての定着圧解除レバーである。このレバー４１が起立状態から図６のように反時計方向に引かれることにより、定着ローラ１７と加圧ローラ１８との加圧機構（不図示）が圧解除方向に動かされて定着ニップ部Ｎのニップ圧が解除（または減圧）された状態になる。
【００３２】
４２はこのレバー４１の上端部側に設けピン軸である。４３はレバー引張り用リンクであり、その長手に沿って設けた長孔４４と上記レバー４１のピン軸４２を係合させてある。リンク４３の先端部（ＦＵトレイ２８側）には、ＦＵトレイ２８との連結用のブロック部材４５をピン軸４６で回動自由に取り付けてある。
【００３３】
４７はＦＵトレイ２８の側板、４８はこの側板４７に設けたフック部材、４９は同じく側板４７に設けた電磁ソレノイド−プランジャ装置（以下、ＳＬ装置と記す）である。ＳＬ装置４９はフック部材４８の下側に間隔を開けて対向させて配設してある。
【００３４】
ＳＬ装置４９は制御部Ｃにより通電がオン／オフ制御され、オフのときはプランジャが引っ込み状態になり、オンのときはプランジャがフック部材４８に向かって突出状態になる。制御部Ｃは、ＳＬ装置４９を常時はオフに保持し、ジャム検知したとき、オンに保持する。
【００３５】
上記において、ピン軸４２、レバー引張り用リンク４３、ブロック部材４５、ピン軸４６、フック部材４８が、定着圧解除レバー４１とＦＵトレイ２８とを連動させる連動手段となる。ＳＬ装置４９が上記の連動手段を連動可能状態と非連動状態とに切換える（転換する）状態切換え手段（連動手段のオン／オフ切換え手段）となる。
【００３６】
ＳＷはＦＵトレイ２８の開閉センサであり、プリンタ本体側に配設してある。制御部ＣはＦＵトレイ２８の開閉に伴って開閉センサＳＷがオン／オフ動作することによりＦＵトレイ２８の開状態と閉状態を検知する。
【００３７】
図３は、ＦＵトレイ２８が閉じ込まれていて、かつＳＬ装置４９がオフである状態時を示している。ブロック部材４５は、フック部材４８とＳＬ装置４９との間において、プランジャ引っ込み状態のＳＬ装置４９の上に位置していて、フック部材４８とは非係合の状態にある（非連動状態：連動−オフ）。したがって、この図３の状態時においては、ＦＵトレイ２８を開いたとき、ブロック部材４５は図４のように置き去りにされる。すなわち、定着圧解除レバー４２を引っ張るリンク４３を連動させることなしに、ＦＵトレイ２８が開かれる。なお、図４におけるリンク４３の姿勢状態は不図示のサポート手段で安定に保たれるようになっている。
【００３８】
図５はＦＵトレイ２８が閉じ込まれていて、かつＳＬ装置４９がオンである状態時を示している。ブロック部材４５は、ＳＬ装置４９の突出したプランジャで押上げられてフック部材４８に係合した状態になる（連動状態：連動−オン）。すなわち、ＦＵトレイ２８と定着圧解除レバー４２を引っ張るリンク４３とがフック部材４８とブロック部材４５との係合で連結された状態になる。したがって、この図５の状態時においては、ＦＵトレイ２８を開くと、その開きに連動してリンク４３が引き出されていく。ＦＵトレイ２８の開き途中において、リンク４３の長孔４４の後端部がレバー４１のピン軸４２に当接する。そして、ＦＵトレイ２８がさらに開き回動されて所定の最大開き位置まで開かれることで、図６のように、定着圧解除レバー４１がリンク４３により起立状態から反時計方向に引かれた状態になり、定着ニップ部Ｎのニップ圧が解除された状態になる。
【００３９】
ここで、定着装置１６は、ＦＵトレイ２８が閉じられている状態（図３・図５）の場合は、制御部Ｃが記録材ジャムを検知したか否かにかかわらず、定着圧解除レバー４１が起立していて、加圧力が解除されていない状態に保持されている。
【００４０】
図７は、上記のＦＵトレイ２８と定着圧解除レバー４１との連動機構の制御フローチャートである。この制御は制御部Ｃが行なう。
【００４１】
ステップＳ１・Ｓ２：ジャムを検知していなければ、ＳＬ装置４９をオフに保つ。したがって、ＦＵトレイ２８と定着圧解除レバー４１は連動−オフにされており（図３）、フェイスアップ排紙のためにＦＵトレイ２８を開いても、定着装置１６の定着圧が解除されることはない（図４）。
【００４２】
ステップＳ３：ジャムを検知すると、プリンタの作像動作を中断する。
【００４３】
ステップＳ４：ジャム箇所を表示する。
【００４４】
ステップＳ５・Ｓ６：ＦＵトレイ２８が閉じられている（開閉センサＳＷ−オン）ことを確認する。ＦＵトレイ２８が開かれている（開閉センサＳＷ−オフ）ときはオペレータにＦＵトレイ２８を一旦閉じる操作を指示する表示を出す。
【００４５】
ステップＳ７：ＳＬ装置４９をオンにする。これによりＦＵトレイ２８と定着圧解除レバー４１は連動−オンにされる（図５）。
【００４６】
ステップＳ８：ＦＵトレイ２８が開かれた（開閉センサＳＷ−オフ）ことを確認する。ＦＵトレイ２８が開かれることで、ＦＵトレイ２８の開きに連動してリンク４３で引かれて、定着ニップ部Ｎのニップ圧が解除される（図６）。これにより、定着装置１６の定着ニップ部Ｎに挟まれてジャムしている記録材も容易に引き抜いて取り除くことができる。
【００４７】
ステップＳ９：ＦＵトレイ２８が閉じられた（開閉センサＳＷ−オン）ことを確認する。ジャム処理後はＦＵトレイ２８を閉じ操作する。ジャム処理後にＦＵトレイ２８を閉じると、リンク４３も戻し移動されて定着圧解除レバー４１は起立姿勢に復帰する。すなわち、定着装置１６の定着ニップ部Ｎが所定の加圧状態に戻る。
【００４８】
ステップＳ１０：ジャム残りを確認する。ジャム残りがあればステップＳ４に戻る。
【００４９】
ステップＳ１１：ジャム状態をリセットする。また、ＳＬ装置４９をオフにする。ＳＬ装置４９のオフにより、ＦＵトレイ２８と定着圧解除レバー４１は連動−オフにされる（図３）。
【００５０】
ステップＳ１２：ステップＳ３で中断した作像シーケンスのリカバリーを実行する。
【００５１】
以上のような制御により、ジャム処理時には、ＦＵトレイ２８を開くと自動的に定着圧解除をも行えるようになるため、容易に定着圧解除を行うことができる。
【００５２】
また、ジャムではない場合に、フェイスアップ排紙を行うため、ＦＵトレイ２８が開かれた時には、定着圧解除レバー４１を連動させない。したがって、ＦＵトレイ２８を開いても定着圧解除は行わない状態を構成することができ、フェイスアップ排紙の動作を行うことができる。
【００５３】
すなわち、フェイスアップ排紙を行いたい時には、ＦＵトレイ２８を開いても定着圧解除されないため、画像形成装置の機能を損なうことなく、ジャム処理時の定着圧解除を容易に行うことができる。
【実施例２】
【００５４】
図８は本実施例２における、ＦＵトレイ２８と定着圧解除レバー４１との連動機構の概略図である。本実施例の連動機構は、上述した実施例１の連動機構において、リンク４３側のブロック部材４５を電磁石５０に変更し、ＦＵトレイ２８側のフック部材４８とＳＬ装置４９を磁性体５１に変更した構成である。
【００５５】
電磁石５０は制御部Ｃにより通電がオン／オフ制御される。図８のように、ＦＵトレイ２８が閉じ込まれているときは、電磁石５０は、ＦＵトレイ２８側の磁性体５１に対面して位置している。この状態において、電磁石５０がオフに保たれているときは、電磁石５０と磁性体５１は電磁的に非結合の状態である（連動−オフ）。したがって、ＦＵトレイ２８を開いたとき、電磁石５０は図９のように置き去りにされる。すなわち、定着圧解除レバー４２を引っ張るリンク４３を連動させることなしに、ＦＵトレイ２８が開かれる。なお、図９におけるリンク４３の姿勢状態は不図示のサポート手段で安定に保たれるようになっている。
【００５６】
また、ＦＵトレイ２８が閉じ込まれている状態において、電磁石５０がオンされると、電磁石５０と磁性体５１は電磁吸着して一体結合の状態になる（連動−オン）。したがって、この状態においては、ＦＵトレイ２８を開くと、その開きに連動してリンク４３が引き出されていく。ＦＵトレイ２８の開き回動途中において、リンク４３の長孔４４の後端部がレバー４１のピン軸４２に当接する。そして、ＦＵトレイ２８がさらに開き回動されて所定の最大開き位置まで開かれることで、図１０のように、定着圧解除レバー４１がリンク４３により起立状態から反時計方向に引かれた状態になり、定着ニップ部Ｎのニップ圧が解除された状態になる。
【００５７】
図１２は、上記のＦＵトレイ２８と定着圧解除レバー４１との連動機構の制御フローチャートである。この制御は制御部Ｃが行なう。
【００５８】
ステップＳ１・Ｓ２：ジャムを検知していなければ、電磁石５０をオフに保つ。したがって、ＦＵトレイ２８と定着圧解除レバー４１は連動−オフにされており、フェイスアップ排紙のためにＦＵトレイ２８を開いても、定着装置１６の定着圧が解除されることはない（図９）。
【００５９】
ステップＳ３：ジャムを検知すると、プリンタの作像動作を中断する。
【００６０】
ステップＳ４：ジャム箇所を表示する。
【００６１】
ステップＳ５・Ｓ６：ＦＵトレイ２８が閉じられている（開閉センサＳＷ−オン）ことを確認する。ＦＵトレイ２８が開かれている（開閉センサＳＷ−オフ）ときはオペレータにＦＵトレイ２８を一旦閉じる操作を指示する表示を出す。
【００６２】
ステップＳ７：電磁石５０をオンにする。これによりＦＵトレイ２８と定着圧解除レバー４１は連動−オンにされる。
【００６３】
ステップＳ８：ＦＵトレイ２８が開かれた（開閉センサＳＷ−オフ）ことを確認する。ＦＵトレイ２８が開かれることで、ＦＵトレイ２８の開きに連動してリンク４３で引かれて、定着ニップ部Ｎのニップ圧が解除される（図１０）。これにより、定着装置１６の定着ニップ部Ｎに挟まれてジャムしている記録材も容易に引き抜いて取り除くことができる。
【００６４】
ステップＳ９：ＦＵトレイ２８が閉じられた（開閉センサＳＷ−オン）ことを確認する。ジャム処理後はＦＵトレイ２８を閉じ操作する。ジャム処理後にＦＵトレイ２８を閉じると、リンク４３も戻し移動されて定着圧解除レバー４１は起立姿勢に復帰する。すなわち、定着装置１６の定着ニップ部Ｎが所定の加圧状態に戻る。
【００６５】
ステップＳ１０：ジャム残りを確認する。ジャム残りがあればステップＳ４に戻る。
【００６６】
ステップＳ１１：ジャム状態をリセットする。また、電磁石５０をオフにする。電磁石５０のオフにより、ＦＵトレイ２８と定着圧解除レバー４１は連動−オフにされる。
【００６７】
ステップＳ１２：ステップＳ３で中断した作像シーケンスのリカバリーを実行する。
【００６８】
以上のような制御により、ジャム処理時にＦＵトレイ２８を開くと自動的に定着圧解除をも行えるようになるため、容易に定着圧解除を行うことができる。
【００６９】
また、ジャムではない場合に、フェイスアップ排紙を行うため、ＦＵトレイ２８が開かれた時には、定着圧解除レバー４１を連動させない。したがって、ＦＵトレイ２８を開いても定着圧解除は行わない状態を構成することができ、フェイスアップ排紙の動作を行うことができる。
【００７０】
実施例１及び２において、ジャム検知時にＦＵトレイ２８と連動手段を連動−オン状態にする制御は、ジャム発生箇所が、ＦＵトレイ２８を開く必要がある、転写から定着、排紙までの箇所である場合、あるいはその箇所を含む場合に、実行させればよい。ジャム発生箇所が、ＦＵトレイ２８を開く必要のない、給紙開始から転写時までの箇所だけの場合には上記の制御をしてもしなくてもよい。制御した場合には、ＦＵトレイ２８を開く必要のない、給紙開始から転写時までの箇所のジャム処理後のリセット信号により、ＦＵトレイ２８と連動手段を連動−オン状態を連動−オフ状態を戻し制御する。
【００７１】
ここで、定着圧解除レバー４１とＦＵトレイ２８との連動手段、その連動手段のオン／オフ手段は、実施例１や２の機構・手段に限られるものではないことは勿論である。たとえば、ギア構成によって、定着圧解除レバー４１とＦＵトレイ２８とを連動させる手段なども同様な作用を得ることができることは、言うまでもない。
【００７２】
また、定着装置１６は、実施例の熱ローラ定着装置に限られるものではない。加熱部材が、固定支持された加熱体と、加熱体に密着して摺動する耐熱性フィルム（可撓性部材）とを有するヒータユニットであり、加圧部材が加熱体と記フィルムを介して圧接する弾性加圧ローラであるフルム加熱方式の定着装置であってもよい。加熱はしない圧力定着装置であってもよい。
【図面の簡単な説明】
【００７３】
【図１】実施例１における画像形成装置の概略構成図
【図２】ＦＵトレイが開かれている状態の画像形成装置の概略構成図
【図３】ＦＵトレイが閉じられていて、ＦＵトレイと定着圧解除レバーとの連動手段が連動−オフにされている状態を示した図
【図４】図３の状態からＦＵトレイが開かれた状態を示した図
【図５】ＦＵトレイが閉じられていて、ＦＵトレイと定着圧解除レバーとの連動手段が連動−オンにされている状態を示した図
【図６】図５の状態からＦＵトレイが開かれた状態を示した図
【図７】ＦＵトレイと定着圧解除レバーとの連動機構の制御フローチャート
【図８】実施例２における、ＦＵトレイと定着圧解除レバーとの連動機構の概略構成図
【図９】ＦＵトレイと定着圧解除レバーとの連動手段が連動−オフの状態でＦＵトレイが開かれた状態を示した図
【図１０】ＦＵトレイと定着圧解除レバーとの連動手段が連動−オンの状態でＦＵトレイが開かれた状態を示した図
【図１１】ＦＵトレイと定着圧解除レバーとの連動機構の制御フローチャート
【符号の説明】
【００７４】
Ａ・・画像形成装置、Ｂ・・ホスト装置、Ｃ・・制御手段（エンジンコントローラ）１６・・定着装置、２８・・フェイスアップトレイ（ＦＵトレイ）、４１・・定着圧解除レバー、４２〜５１・・連動手段構成部材、ＳＷ・・ＦＵトレイ開閉センサ
【図１】
0004681971.tif 000002
【図２】
0004681971.tif 000003
【図３】
0004681971.tif 000004
【図４】
0004681971.tif 000005
【図５】
0004681971.tif 000006
【図６】
0004681971.tif 000007
【図７】
0004681971.tif 000008
【図８】
0004681971.tif 000009
【図９】
0004681971.tif 000010
【図１０】
0004681971.tif 000011
【図１１】
0004681971.tif 000012